(57)【要約】【課題】確実に幹足を花瓶に支持することができ、美しい立華を容易に生けることができる生け花用補助具を提供する。【解決手段】生け花用補助具は、花瓶１に配置される上端が開口した有底の筒状に形成された内筒容器５と、内筒容器５の開口から挿入される支柱２の下端に設けられた第１の固定部材６１と、内筒容器５内に位置する支柱２に設けられ、第１の固定部材６１から所定間隔を空けて配置された第２の固定部材６２とを備えている。第１の固定部材６１および第２の固定部材６２は、輪郭形状が内筒容器５の水平断面形状に合わせて形成され、内筒容器５の軸線Ｌから偏心した位置に支柱２が配置されている。円形板により形成された第２の固定部材６２には剣山１０が配置され、内筒容器５の内周面との隙間に棒状部材７を差し込むことで、第２の固定部材６２による固定を一層強固なものとしている。【選択図】図２
2012100831.tif 000002
【特許請求の範囲】
【請求項１】
花瓶に配置される上端が開口した有底の筒状に形成された内筒容器と、
前記内筒容器の開口から挿入される幹足の下端に設けられた第１の固定部材と、
前記内筒容器内に位置する前記幹足に設けられ、前記第１の固定部材から所定間隔を空けて配置された第２の固定部材とを備え、
前記第１の固定部材および前記第２の固定部材は、輪郭形状が前記内筒容器の水平断面形状に合わせて形成され、前記内筒容器の軸線から偏心した位置に前記幹足が配置されていることを特徴とする生け花の補助具。
【請求項２】
前記内筒容器と前記第２の固定部材との隙間に挿入される棒状部材を備えた請求項１記載の生け花の補助具。
【請求項３】
前記第２の固定部材は、剣山を載置するための板状部材により形成されている請求項１または２記載の生け花の補助具。
【請求項４】
前記幹足の上方に延びる幹本体に取り付けられる枝と連結する連結部材を備え、
前記連結部材は、
前記枝を取り付ける第１のねじを挿通させるための第１のねじ孔と、前記第１のねじを中心として前記枝を上下方向に回動させ、枝の取り付け角度を調整した状態で第２のねじによりねじ止め固定するための第２のねじ孔が形成された板状部材と、
前記板状部材を上下移動および水平回転させて前記幹本体に取り付ける位置を調整するために、前記幹本体を挿通させる輪状部材とにより形成され、
前記板状部材の基端が前記輪状部材の接線方向に沿って外周面に取り付けられている請求項１から３のいずれかの項に記載の生け花の補助具。
【請求項５】
前記花瓶の開口との所定間隔を示すためのリング状部材と、
前記幹足の上方に延びる幹本体が前記リング状部材の中心から偏心した位置で前記リング状部材を幹本体に固定するための固定部材とを備えた前置表示部材が、前記幹本体に設けられている請求項１から４のいずれかの項に記載の生け花の補助具。
【請求項６】
前記請求項１から５のいずれかの項に記載の生け花用補助具の内筒容器における広がった開口縁部を受けるための孔が設けられたテーブル部を備えたことを特徴とする作業台。
【発明の詳細な説明】
【技術分野】
【０００１】
本発明は、花瓶に内筒容器を入れ、この内筒容器に枝や花、幹を固定するための生け花用補助具および作業台に関するものである。
【背景技術】
【０００２】
生け花用の花や草を鉢に生けるときには剣山などが用いられる。しかし、深さが深い花瓶に、幹足となる太い木や支柱などを固定する場合には、幹足の下端を固定する剣山だけで長尺の幹足を立てたままの状態とするには、バランスが取りにくいため、剣山が傾くなど不安定となり、幹足を固定し難い面がある。
そこで、幹足を固定するための補助具が、例えば、特許文献１に提案されている。
この特許文献１の幹足支持花瓶内筒容器は、上部に第１の開口部を有し周囲に少なくとも１の第１のスペーサを備えて花瓶内部に固定される花瓶内筒容器本体と、上部に第２の開口部を有し少なくとも１の第２のスペーサを備えて花瓶内筒本体内部に固定収容され受筒付幹足を支持する支持具とを有するものである。
【先行技術文献】
【特許文献】
【０００３】
【特許文献１】特開２００５−１９８８９２号公報
【発明の概要】
【発明が解決しようとする課題】
【０００４】
しかし、特許文献１に記載の幹足支持花瓶内筒容器では、例えば、剣山を花瓶内筒容器の中段位置に設け、剣山に花の付いた茎や葉身の長さが長い葉を生ける場合には、幹足が邪魔になり、花や草を生けにくい。これは、幹足が花瓶内筒容器の軸線と一致する位置に配置されるため、剣山に茎や葉を刺して生ける場合には花瓶内筒容器の内側面と幹足との間のスペースに生けることになるためである。
【０００５】
また、幹となる支柱に枝を付けた場合でも、やはり、剣山から真っ直ぐに茎や葉が延びる方向に枝が位置することになるため、枝が邪魔になって生けにくい状態となってしまう。このように、花瓶に幹を生け、花の付いた茎や葉を生ける立華を美しく生けたい場合に、生けにくかったり、枝が邪魔になったりして、生け方に制約が生じてしまう。
【０００６】
そこで本発明は、確実に幹足を花瓶に支持することができ、美しい立華を容易に生けることができる生け花用補助具および作業台を提供することを目的とする。
【課題を解決するための手段】
【０００７】
本発明の生け花の補助具は、花瓶に配置される上端が開口した有底の筒状に形成された内筒容器と、前記内筒容器の開口から挿入される幹足の下端に設けられた第１の固定部材と、前記内筒容器内に位置する前記幹足に設けられ、前記第１の固定部材から所定間隔を空けて配置された第２の固定部材とを備え、前記第１の固定部材および前記第２の固定部材は、輪郭形状が前記内筒容器の水平断面形状に合わせて形成され、前記内筒容器の軸線から偏心した位置に前記幹足が配置されていることを特徴とする。
【０００８】
本発明の生け花の補助具によれば、輪郭形状が前記内筒容器の水平断面形状に合わせて形成された第１の固定部材と、第１の固定部材から所定間隔を空けて設けられた第２の固定部材とが設けられているため、下端では第１の固定部材により移動が規制され、第１の固定部材６１の上方では第２の固定部材により移動が規制される。従って、内筒容器内で幹足を安定させて固定することができる。この第１の固定部材および第２の固定部材に設けられている幹足は、内筒容器の軸線から偏心した位置であるため、内筒容器の内部および上方においては、内筒容器の軸線を含む広い範囲を確保することができる。従って、花が付いた茎や葉身が長い葉を生ける場合でも容易に生けることができる。
【０００９】
前記内筒容器と前記第２の固定部材との隙間に挿入される棒状部材を備えるのが望ましい。第２の固定部材と内筒容器との間に隙間があると、幹足にがたつきが生じる。内筒容器と第２の固定部材との隙間に棒状部材を挿入することで、第２の固定部材の移動が規制されるので、第２の固定部材をがたつきなく固定することができる。
【００１０】
前記幹足の上方に延びる幹本体に取り付けられる枝と連結する連結部材を備え、前記連結部材は、前記枝を取り付ける第１のねじを挿通させるための第１のねじ孔と、前記第１のねじを中心として前記枝を上下方向に回動させ、枝の取り付け角度を調整した状態で第２のねじによりねじ止め固定するための第２のねじ孔が形成された板状部材と、前記板状部材を上下移動および水平回転させて前記幹本体に取り付ける位置を調整するために、前記幹本体を挿通させる輪状部材とにより形成され、前記板状部材の基端が前記輪状部材の接線方向に沿って外周面に取り付けられているのが望ましい。
幹本体に枝と連結する連結部材が設けられていると、所望とする枝を幹本体に装着することができる。この連結部材は、上下移動および水平回転させて幹本体に対して取り付ける位置を調整する輪状部材と、第１のねじ孔に挿通させる第１のねじを中心として枝を上下方向に回動させて角度を調整した状態で、第２のねじ孔に挿通させた第２のねじにより枝の取り付け角度を調整した状態でねじ止め固定する板状部材とにより形成されている。従って、枝を、幹本体の高さ位置と、幹本体を中心した水平回転方向の位置と、枝の上下方向の角度とを調整しながら、幹本体に取り付けることができる。また、板状部材の基端が前記輪状部材の接線方向に沿って外周面に取り付けられていることで、枝を板状部材の外側面に取り付ければ、内筒容器の上方においても、内筒容器の軸線を含む広い範囲を花や葉を生けるためのスペースとして確保することができる。
【００１１】
前記花瓶の開口との所定間隔を示すためのリング状部材と、前記幹足の上方に延びる幹本体が前記リング状部材の中心から偏心した位置で前記リング状部材を幹本体に固定するための固定部材とを備えた前置表示部材が、前記幹本体に設けられているのが望ましい。
立華において、幹本体の花瓶の開口部分に位置する前置については、花など位置させず、すっきりさせるのが美しいとされる基準の一つである。幹本体が、第１の固定部材および前記第２の固定部材と同様に、リング状部材の中心から偏心した位置で、リング状部材を固定部材により幹本体に固定する前置表示部材を設けることで、生け花をする者が初心者であっても、花瓶の開口との所定間隔を確認しながら花や葉を生けることができる。
【００１２】
上記生け花の補助具は、内筒容器における広がった開口縁部を受けるための孔が設けられたテーブル部を備えた作業台を用いることで、テーブル部に内筒容器の開口が位置した状態で生けることができるので、簡単に花や葉を生けたり、幹に枝を付けたりすることができる。また、花瓶に花や葉を直接生けるより、内筒容器に生ける方が水の量が少なくて済むため、生けた後の作業台から花瓶を載置している設置場所までの移動も容易である。
【発明の効果】
【００１３】
本発明の生け花の補助具は、内筒容器の内部および上方において、内筒容器の軸線を含む広い範囲を確保することができる。従って、花が付いた茎や葉身が長い葉を生ける場合でも容易に生けることができるので、確実に幹足を花瓶に支持することができ、美しい立華を容易に生けることができる。
また、本発明の作業台は、生けた後の作業台から花瓶を載置している設置場所までの容易に移動させることができるので、女性や高齢者であっても、作業のしやすい状態で生けることができ、生けた後は、容易に移動を行うことができる。
【図面の簡単な説明】
【００１４】
【図１】本発明の実施の形態に係る生け花の補助具を用いて花瓶に立華した状態を示す斜視図である。
【図２】図１に示す生け花の補助具を示す一部拡大図である。
【図３】図１に示す生け花の補助具の連結部材を説明するための図であり、（ａ）は斜視図、（ｂ）は平面図である。
【図４】図１に示す生け花の補助具の前置表示部材を示す斜視図である。
【図５】作業台を説明するための斜視図である。
【発明を実施するための形態】
【００１５】
本発明の実施の形態に係る生け花の補助具を、図面に基づいて説明する。
図１に示すように、生け花として、花瓶１に幹となる支柱２が立設され、この支柱２に枝３が設けられていると共に、花や葉を生けるための筒型の容器４が設けられている。
【００１６】
支柱２は、直管である金属製のパイプにより形成され、幹として使用される。なお、本明細書では、花瓶１内に位置する支柱２を幹足、この幹足から上方へ延びる支柱２を幹本体と称することがある。
枝３は、立華に応じて様々な枝が使用できるが、図１に示す例では、松を使用している。容器４は、有底の円筒形状に形成され、外周面が竹の表皮のように加工され、バンドにより支柱２に固定されている。容器４内には剣山やオアシス（商標）が配置され、必要に応じて花や葉を生けることができる。
【００１７】
この生け花を生けるために、生け花の補助具は、図２に示すように、花瓶１に円形の孔を有する円形板１２を介在させて配置される内筒容器５と、この内筒容器５に幹足である支柱２の下部を固定するための２つの固定部材６と、固定を補強するための棒状部材７と、支柱２に枝を取り付けるための連結部材８と、前置を示す前置表示部材９とを備えている。
【００１８】
内筒容器５は、上端が開口した有底の筒状に形成された金属製の容器である。この内筒容器５は、開口縁部５１が外側に向かって広がるように折り曲げ加工されている。また開口縁部５１には、掴んで移動させるためのリング状部材により形成された取っ手５２が設けられている。本実施の形態では、内筒容器５は円筒状に形成されたものを使用している。
【００１９】
２つの固定部材６は、支柱２の下端に設けられた第１の固定部材６１と、第１の固定部材６１から所定間隔を空けて上方に設けられた第２の固定部材６２から構成されている。
第１の固定部材６１および第２の固定部材６２は、輪郭形状が内筒容器５の水平断面形状に合わせて、金属製の円形板により形成されていると共に、内筒容器５に入れるときに、取っ手５２が邪魔にならないよう、周縁部に２箇所の凹部６ａが設けられている。支柱２の幹足部分は、第１の固定部材６１および第２の固定部材６２の内筒容器５の軸線Ｌから偏心した位置に配置されている。第２の固定部材６２には、剣山１０が載置される。
【００２０】
第１の固定部材６１は、支柱２の下端に設けられていることで内筒容器５の底部に位置し、第２の固定部材６２は内筒容器５の中段に位置している。本実施の形態では、第２の固定部材６２を内筒容器５の中段に位置させているが、剣山１０と花瓶１の開口までの間が花を生けるのに深すぎたり、浅すぎたりするようであれば、第２の固定部材６２を内筒容器５の上部や下部に位置させてもよい。
【００２１】
棒状部材７は、内筒容器５の開口付近から第２の固定部材６２までの深さに到達できる程度の長さを有し、内筒容器５と第２の固定部材６２との隙間に挿入されることで、第２の固定部材６２による固定を強固とする楔として機能するものである。
【００２２】
連結部材８は、図３（ａ）および同図（ｂ）に示すように、枝３に固定される板状部材８１と、支柱２に固定される輪状部材８２とにより形成されている。
板状部材８１は、長方形状の金属板により形成されている。板状部材８１には、第１のねじ１１ａを挿通させるための第１のねじ孔８１ａと、第１のねじ１１ａを中心として枝３を上下方向に回動させ、枝３の取り付け角度を調整した状態で第２のねじ１１ｂ，１１ｃによりねじ止め固定するための２つの第２のねじ孔８１ｂ，８１ｃとが設けられている。第１のねじ孔８１ａは、第１のねじ１１ａの頭部の直径より小さい円形状の孔である。第２のねじ孔８１ｂ，８１ｃは、第２のねじ１１ｂ，１１ｃの頭部の直径より幅が狭い円弧状の孔である。
【００２３】
輪状部材８２は、支柱２が挿通可能な金属製のパイプにより形成されている。輪状部材８２の外周面には、第３のねじ１１ｄをねじ込み、連結部材８を支柱２に固定するための第３のねじ孔８２ａが設けられている。
板状部材８１は、基端８１ｄが輪状部材８２の接線方向に沿って輪状部材８２の外周面に取り付けられている。本実施の形態では、水平方向に対する取り付け角度として、斜め上方に向くように、１５°、４５°、６０°の３種類が準備されている。なお、本実施の形態では、板状部材８１に、第１のねじ孔８１ａを中心として２つの第２のねじ孔８１ｂ，８１ｃが設けられているが、枝３が保持できれば、第２のねじ孔８１ｂ，８１ｃは、いずれか一方だけでもよい。また、図３においては、板状部材８１が輪状部材８２に平面視して基端から先端への方向が支柱２を中心に右方向に延びているが、役枝が向く方向に応じて反対方向へ板状部材８１が向くように輪状部材８２に取り付けられた連結部材８も準備されている。
【００２４】
図４に示すように、前置表示部材９は、リング状部材９１と、固定部材９２とを備えている。リング状部材９１は、針金を内筒容器５の開口と同じ直径のリング状にしたものである。固定部材９２は、幹足の上方に延びる幹本体に固定するためのものである。固定部材９２は、図３に示す連結部材８の輪状部材８２と同じ構成とすることができる。固定部材９２の外周面には、第４のねじ１１ｅをねじ込み、連結部材８を支柱２に固定するための第４のねじ孔９２ａが設けられている。支柱２が内側に位置するように、固定部材９２をリング状部材９１内に位置させて、固定部材９２の外側面にリング状部材９１が接続されていることで、第１の固定部材６１および第２の固定部材６２と同様に、支柱２が、軸線Ｌが通るリング状部材９１の中心Ｏから偏心した位置となる。
【００２５】
次に、本発明の実施の形態に係る作業台について、図面に基づいて説明する。
図５に示すように、作業台２０は、脚部２１と、脚部２１の上端に位置させたテーブル部２２と、テーブル部２２の下方に位置させた支持板２３とを備えている。
テーブル部２２と支持板２３とは、輪郭が円形状に形成された木製板材により形成されている。テーブル部２２および支持板２３には、内筒容器５の胴部直径より大きく、広がった開口縁部５１の直径より小さい円形孔と、内筒容器５が取り出しが容易となるように設けられた円形孔との一部分同士が重なったまゆ型の孔２２ａ，２３ａが設けられている。
【００２６】
以上のように構成された本発明の実施の形態に係る生け花の補助具の使用状態について、図面に基づいて説明する。
まず、図５に示すように、内筒容器５を作業台２０に設置する。内筒容器５は、孔２２ａの縁部に内筒容器５の開口縁部５１が係止して落下せずに載置される。
【００２７】
内筒容器５が作業台２０にセットされると、まず、作業者は、支柱２の下部である幹足を挿入して立てる。図２に示すように、内筒容器５には、取っ手５２が設けられているが、第１の固定部材６１と第２の固定部材６２とには凹部６ａが設けられているため、取っ手５２が邪魔になることなく、支柱２の幹足部分を内筒容器５内へ入れることができる。
【００２８】
支柱２を内筒容器５内へ挿入されると、支柱２には、輪郭形状が内筒容器５の水平断面形状に合わせて円形状に形成された第１の固定部材６１と第２の固定部材６２とが設けられているので、下端が第１の固定部材６１により移動が規制され、内筒容器５の中段では第２の固定部材６２により移動が規制される。従って、内筒容器５内で支柱２の幹足部分を安定させて固定することができる。
【００２９】
次に、作業者は、棒状部材７を第２の固定部材６２を内筒容器５の内周面との間の隙間に入れる。そうすることで、第２の固定部材６２がしっかりと固定されるので、支柱２の上部に枝などを付けることで全体の重量が重くなっても、支柱２をがたつき無く固定することができる。
【００３０】
次に、剣山１０を第２の固定部材６２の上に載置する。支柱２の幹足部分が第１の固定部材６１および第２の固定部材６２に立設されている位置は、内筒容器５の軸線Ｌから偏心した位置に配置されているので、剣山１０を載置する第２の固定部材６２では、内筒容器５の軸線Ｌを含む広い範囲が載置スペースとして確保できる。従って、大判の剣山１０を載置することができる。また、花が付いた茎や葉身が長い葉を、この剣山１０に生ける場合でも、内筒容器５の軸線Ｌを含む範囲が生け花のスペースとして確保できるので、支柱２が邪魔にならない。従って、作業者は、剣山１０に容易に生けることができる。
【００３１】
支柱２には、前置表示部材９が設けられているため、例えば、水際除き、下段除きなどで立華を構成する場合に、作業者が初心者であっても、前置の部分を容易に把握することができる。また、図４に示すように、前置表示部材９では、第１の固定部材６１および第２の固定部材６２と同様に、支柱２が、軸線Ｌが通るリング状部材９１の中心Ｏから偏心した位置となっているため、リング状部材９１を挿通させて花が付いた茎や葉身の長い葉を生けるときでも、リング状部材９１に挿通させやすい。
【００３２】
次に、作業者は枝３を支柱２に取り付ける。図３に示すように、支柱２に予め取り付けられている連結部材８の輪状部材８２にねじ込まれている第３のねじ１１ｄを緩めて、支柱２の高さ位置と、支柱２を中心した水平回転方向の位置とを決め、第３のねじ１１ｄを締め付けることで、連結部材８を支柱２に固定する。このときの支柱２を中心した水平回転方向の位置は、板状部材８１が支柱２の裏側（支柱２を中心として内筒容器５の軸線Ｌと反対側）となるように配置する。
【００３３】
次に、役枝ごとに適した曲がりを有する枝３を準備して、枝３の基端を連結部材８の板状部材８１に当て、第１のねじ１１ａを板状部材８１の第１のねじ孔８１ａにねじ込む。
このとき、支柱側とは反対となる板状部材８１の外側面に枝３を取り付ける。そして、枝３の角度を調整しながら第２のねじ孔８１ｂ，８１ｃとに、第２のねじ１１ｂ，１１ｃをそれぞれねじ込む。そうすることで、枝３の上下方向の角度を調整しながら、支柱２に取り付けることができる。また、支柱２が内筒容器５の軸線Ｌとは偏心した位置に立設されているため、内筒容器５の上方においても、内筒容器５の軸線Ｌを含む広い範囲を花や葉を生けるためのスペースとして確保することができる。
【００３４】
枝３には板状部材８１を取り付けた後に、例えば、枝３と同系統の色のテープにより枝３の基端と共に板状部材８１に巻き付ける。そうすることで、枝３の固定を一層強固のものとすると共に、板状部材８１を覆い隠すことができる。
そして、剣山やオアシスを配置した図１に示す容器４に、松ぼっくり（図示せず）などを生けることでより華やかな立華とすることができる。
【００３５】
このようにして生けると、取っ手５２を持ち、内筒容器５を孔２２ａ，２３ａから持ち上げ、作業台２０から花瓶１へ移し換える。
花瓶１では、内筒容器５の上部が円形板１２が花瓶１の開口にて引っ掛かると共に、内筒容器５の下部が花瓶１の胴部の狭くなっている部分に嵌り動きが規制され、内筒容器５が固定される。
このように作業台２０から花瓶１へ内筒容器５を生けたものごと移し換えても、内筒容器５は花瓶１より容積が少ないため水の量が少ない。従って、生けた後でも容易に作業台２０から花瓶１へ移し換えることができる。
【産業上の利用可能性】
【００３６】
本発明は、花を生ける際に、様々な流派に関わらず適用することが可能である。
【符号の説明】
【００３７】
１  花瓶
２  支柱
３  枝
４  容器
５  内筒容器
５１  開口縁部
５２  取っ手
６  固定部材
６ａ  凹部
６１  第１の固定部材
６２  第２の固定部材
７  棒状部材
８  連結部材
８１  板状部材
８１ａ  第１のねじ孔
８１ｂ，８１ｃ  第２のねじ孔
８１ｄ  基端
８２  輪状部材
８２ａ  第３のねじ孔
９  前置表示部材
９１  リング状部材
９２  固定部材
９２ａ  第４のねじ孔
１０  剣山
１１ａ  第１のねじ
１１ｂ，１１ｃ  第２のねじ
１１ｄ  第３のねじ
１１ｅ  第４のねじ
１２  円形板
２０  作業台
２１  脚部
２２  テーブル部
２２ａ  孔
２３  支持板
２３ａ  孔
【図１】
2012100831.tif 000003
【図２】
2012100831.tif 000004
【図３】
2012100831.tif 000005
【図４】
2012100831.tif 000006
【図５】
2012100831.tif 000007